(57)【特許請求の範囲】
【請求項１】
印刷手段と、印刷手段にて印刷が施された用紙を反転させて再び印刷手段に供給する反転手段とを備えた画像形成装置と、前記画像形成装置の下流側に接続され、封入封緘設定に基づき、前記画像形成装置を通過した後の貼着部を備えた封筒用紙を折り曲げて封入封緘物を作成する封入封緘装置とを備える封入封緘システムであって、
前記印刷手段よりも上流側の搬送路上にて前記封筒用紙の透過量を検出する透過量検出手段と、
前記透過量検出手段により検出された透過量に基づいて前記封筒用紙における前記貼着部が存在する貼着位置を算出する貼着位置算出手段と、
前記貼着位置算出手段により算出された貼着位置と、前記封入封緘設定に基づく貼着位置とから、前記封筒用紙が前後正しい向きで搬送されたか否かを判定する判定手段と、
を備えたことを特徴とする封入封緘システム。
【請求項２】
前記貼着位置算出手段は、前記封筒用紙を搬送方向に複数に分割した領域毎に、前記透過量検出手段が検出した透過量を積算することにより、前記貼着位置を算出する
ことを特徴とする請求項１記載の封入封緘システム。
【請求項３】
前記判定手段は、
前記封入封緘設定に基づいた貼着位置と、前記貼着位置算出手段が算出した貼着位置とが、前記搬送方向において対称の位置関係にあるか否かを判定する
ことを特徴とする請求項１または２記載の封入封緘システム。
【発明の詳細な説明】
【技術分野】
【０００１】
本発明は、封筒用紙を折り畳んで自動的に封入封緘物を作成する封入封緘システムに係り、より具体的には、搬送される印刷用紙の前後方向が適正か否かを判定する封入封緘システムに関する。
【背景技術】
【０００２】
一般的に、画像データに基づいて複数のインクジェットヘッドからインクを吐出することにより、給紙トレイから搬送された印刷用紙にカラー印刷する印刷装置がよく知られている。
【０００３】
このような印刷装置に接続され、印刷装置により印刷された封筒用紙を折りたたみ、封筒を生成すると共に、生成された封筒に入るように、印刷装置により印刷された複数枚の内容物用紙を折りたたみ、封筒に内包するように封緘する。
【０００４】
例えば、特許文献１では、宛名シートとそれに続くデータシートとを封筒に封入封緘する封入封緘装置が開示されている。
【先行技術文献】
【特許文献】
【０００５】
【特許文献１】特開平１０−２７３１０９号公報
【発明の概要】
【発明が解決しようとする課題】
【０００６】
しかしながら、特許文献１に記載の封入封緘装置では、宛名シートとそれに続くデータシート（以後、内容物という）とを封筒に封入封緘する際、封筒用紙の置き方を間違えてしまうと、封筒用紙の貼着部が存在する位置（以下、貼着位置という。）が適切な位置に存在しなくなるため、適切に封入封緘処理を実行できない場合があった。
【０００７】
具体的には、封筒用紙の搬送方向における向きが前後逆になっている場合、封入封緘装置において、封緘する際、貼着位置が適切な位置に存在していないため適切に封入封緘処理を実行できない。また、貼着位置が異なった状況で封入封緘処理がなされてしまうと高価な封筒用紙が無駄になるという問題もあった。
【０００８】
本発明は、上記課題に鑑みてなされたものであり、封入封緘システムにおいて、封筒用紙の貼着位置が適切な位置に存在しているか否かを判定する封入封緘システムを提供することを目的とする。
【課題を解決するための手段】
【０００９】
上記目的を達成するため、本発明に係る封入封緘システムの第１の特徴は、封入封緘設定に基づき、貼着部を備えた封筒用紙を用いて封入封緘物を作成する封入封緘システムであって、搬送路上を搬送される前記封筒用紙の透過量を検出する透過量検出手段と、前記透過量検出手段により検出された透過量に基づいて前記封筒用紙における前記貼着部が存在する貼着位置を算出する貼着位置算出手段と、前記貼着位置算出手段により算出された貼着位置と、前記封入封緘設定に基づく貼着位置とから、前記封筒用紙が前後正しい向きで搬送されたか否かを判定する判定手段と、を備えたことにある。
【００１０】
本発明に係る封入封緘システムの第２の特徴は、前記貼着位置算出手段は、前記封筒用紙を搬送方向に複数に分割した領域毎に、前記透過量検出手段が検出した透過量を積算することにより、前記貼着位置を算出することにある。
【００１１】
本発明に係る封入封緘システムの第３の特徴は、前記判定手段は、前記封入封緘設定に基づいた貼着位置と、前記貼着位置算出手段が算出した貼着位置とが、前記搬送方向において対称の位置関係にあるか否かを判定することにある。
【発明の効果】
【００１２】
本発明に係る封入封緘システムの第１の特徴によれば、透過量検出手段により検出された透過量に基づいて封筒用紙における貼着部が存在する貼着位置を算出し、算出された貼着位置と、封入封緘設定に基づく貼着位置とから、封筒用紙が前後正しい向きで搬送されたか否かを判定するので、封入封緘システムにおいて、封筒用紙の貼着位置が適切か否かを判定することができ、封筒用紙を無駄にすることがなくなる。
【００１３】
本発明に係る封入封緘システムの第２の特徴によれば、封筒用紙を搬送方向に複数に分割した領域毎に、透過量検出手段が検出した透過量を積算することにより、貼着位置を算出するので、第１の特徴による効果に加え、より正確に貼着位置を算出できる。
【００１４】
本発明に係る封入封緘システムの第３の特徴によれば、判定手段は、貼着位置算出手段が算出した貼着位置と、封入封緘設定に基づいた貼着位置とが、搬送方向において対称の位置関係にあるか否かをも判定するため、封筒用紙の搬送方向における向きが前後逆であるか否かまで判定することができる。また、この判定結果を使用すれば、ユーザに対して、より適切な報知をすることも可能となる。
【図面の簡単な説明】
【００１５】
【図１】本発明の一実施形態である封入封緘システムの模式的な正面図である。
【図２】本発明の一実施形態である画像形成装置の機能構成を示した図である。
【図３】本発明の一実施形態である封入封緘システムの画像形成装置３における処理手順を示したフローチャートである。
【図４】本発明の一実施形態である封入封緘システムにおける正常紙厚と検出紙厚との一例を示した図である。（ａ）は、前後正しい向きで搬送された封筒用紙の領域分割を示しており、（ｂ）は、（ａ）の場合における正常紙厚の厚みを示しており、（ｃ）は、前後逆向きで搬送された封筒用紙の領域分割を示しており、（ｂ）は、（ｃ）の場合における検出紙厚の厚みを示している。
【図５】本発明の一実施形態である封入封緘システムにおいて両面印刷を行う場合における正常紙厚と検出紙厚との一例を示した図である。（ａ）は、前後正しい向きで搬送された封筒用紙の領域分割を示しており、（ｂ）は、（ａ）の場合における正常紙厚の厚みを示しており、（ｃ）は、前後逆向きで搬送された封筒用紙の領域分割を示しており、（ｂ）は、（ｃ）の場合における検出紙厚の厚みを示している。
【発明を実施するための形態】
【００１６】
以下、本発明の実施の形態について説明する。
【００１７】
本発明の一実施形態では、給紙トレイから搬送された印刷用紙にカラー印刷する画像形成装置と、画像形成装置により印刷された複数枚の内容物用紙を折りたたみ、封筒に内包するように封緘する封入封緘装置とを備えた封入封緘システムを例に挙げて説明する。
【００１８】
＜画像形成装置の構成＞
本発明の一実施形態である封入封緘システムの構成について説明する。なお、説明中において、「上流」とは、内容物用紙等の搬送方向から見て上流のことをいい、「下流」とは、内容物用紙等の搬送方向から見て下流のことをいう。また、図１で、「Ｌ」は正面から見た左方向、「Ｒ」は正面から見た右方向を示す。
【００１９】
図１は、本発明の一実施形態である封入封緘システムの模式的な正面図である。
【００２０】
図１に示すように、本発明の一実施形態である封入封緘システム１は、印刷用紙判定装置である画像形成装置３と、この画像形成装置３の下流に隣接して接続された封入封緘装置５とを備えている。
【００２１】
画像形成装置３は、複数枚の内容物用紙Ｐ１及び／又は封筒用紙Ｐ２に対し、ユーザから指示を受けた封入封緘設定に基づいて、片面印刷または両面印刷を行ったうえで、隣接する封入封緘装置５へとこれらを受け渡す。
【００２２】
封入封緘装置５は、前述した封入封緘設定に基づいて、画像形成装置３から受け取った印刷済みの複数枚の内容物用紙Ｐ１から内容物Ｂを、封筒用紙Ｐ２から封筒Ｅをそれぞれ形成し、内容物Ｂがある場合にはこれを封筒Ｅに封入した状態で、封筒Ｅを封緘することにより、封書Ｍを作製する。ここで、封書Ｍは内容物Ｂを含まない封筒Ｅのみからなる場合もあり得る。この場合には、封筒Ｅの裏面に内容物Ｂに印刷される内容に相当するものが印刷されることとなる。
【００２３】
画像形成装置３の筐体内には、内容物用紙Ｐ１及び封筒用紙Ｐ２に印刷を行うインクジェット方式の印刷部９が設けられている。この印刷部９は、ブラック、シアン、マゼンタ、イエローの各色のインクを吐出する複数のライン型のインクヘッド１１Ａ，１１Ｂ，１１Ｃ，１１Ｄを備えている。また、内容物用紙Ｐ１及び封筒用紙Ｐ２を搬送するためのループ状の印刷搬送路１３が印刷部９を囲むように設けられている。
【００２４】
画像形成装置３の筐体内における印刷部９の下側には、複数枚の内容物用紙Ｐ１を印刷部９側（印刷搬送路１３側）へ順次給紙する複数の内容物用紙給紙部１５が上下方向に段状に設けられている。
【００２５】
また、画像形成装置３の筐体内の左部には、内容物用紙Ｐ１を印刷部９側へ搬送するための給紙搬送路２１が設けられており、この給紙搬送路２１は、複数の内容物用紙給紙部１５から給紙された内容物用紙Ｐ１を搬送する。
【００２６】
画像形成装置３の筐体内の左側部には、封筒用紙Ｐ２を印刷部９側（印刷搬送路１３側）へ給紙する封筒用紙給紙部２３が設けられている。
【００２７】
また、画像形成装置３の筐体内の左部には、封筒用紙Ｐ２を印刷部９側へ搬送するための給紙搬送路２９が設けられており、給紙搬送路２９は、封筒用紙給紙部２３から給紙された封筒用紙Ｐ２を搬送する。
【００２８】
給紙搬送路２１と給紙搬送路２９との合流地点から下流側には、レジストローラ１７が設けられており、給紙搬送路２１から搬送された内容物用紙Ｐ１、又は給紙搬送路２９から搬送された封筒用紙Ｐ２を突き当てることにより斜行補正した後、印刷搬送路１３上で印刷部９へ搬送する。
【００２９】
レジストローラ１７の下流側には、搬送路上を搬送される封筒用紙Ｐ２の透過量を検出する透過量センサ１９が設けられている。
【００３０】
印刷搬送路１３の左側上部には、内容物用紙Ｐ１及び封筒用紙Ｐ２を一時的に収容するカセット３１が設けられている。また、画像形成装置３の筐体内の左部からカセット３１内にかけて、内容物用紙Ｐ１及び封筒用紙Ｐ２を表裏反転させて印刷部９側へ搬送するためのスイッチバック搬送路３３が設けられている。また、このカセット３１の上部には、表裏反転せずに排紙する排紙台３４が設けられている。
【００３１】
このように、内容物用紙Ｐ１及び封筒用紙Ｐ２を、スイッチバック搬送路３３により表裏反転させて印刷部９側へ搬送することで、両面印刷を行うことが可能となる。
【００３２】
画像形成装置３の筐体内の左部には、印刷搬送路１３から送り出された内容物用紙Ｐ１及び封筒用紙Ｐ２を封入封緘装置５側（右方向）へ搬送するための連絡搬送路３５が設けられている。
【００３３】
この連絡搬送路３５の先端部には、内容物用紙Ｐ１及び封筒用紙Ｐ２を封入封緘装置５側（右方向）へ搬送するか、又は印刷搬送路１３上を循環させるかを切り替える切り替え機構３７が備えられている。
【００３４】
画像形成装置３の筐体内の適宜位置には、制御部７０が設けられており、この制御部７０は、印刷部９、内容物用紙給紙部１５、封筒用紙給紙部２３、操作パネル６０等の動作を制御するものである。
【００３５】
図１に示すように、封入封緘システム１における封入封緘装置５は、封入封緘部筐体４１（以下、適宜に装置筐体４１という）を具備している。この装置筐体４１内には、連絡搬送路３５（画像形成装置３）から送り出された印刷済みの内容物用紙Ｐ１及び封筒用紙Ｐ２を右方向へ搬送するための導入搬送路４３が設けられている。
【００３６】
装置筐体４１内には、印刷済みの内容物用紙Ｐ１等（内容物Ｂを含む）を搬送するための内容物用紙搬送路４５が設けられており、装置筐体４１内における内容物用紙搬送路４５の上側には、印刷済みの封筒用紙Ｐ２を搬送するための封筒用紙搬送路４７が設けられている。
【００３７】
内容物用紙搬送路４５の下流端側と封筒用紙搬送路４７の下流端側は封筒形成部５９にて合流している。装置筐体４１内における内容物用紙搬送路４５と封筒用紙搬送路４７の合流部の下流側（出口側）には、内容物Ｂを封入した状態で封筒Ｅ等（封書Ｍを含む）を搬送するための封筒搬送路４９が設けられている。この封筒搬送路４９は、装置筐体４１の上部まで延びている。
【００３８】
内容物用紙搬送路４５の途中には、整合部５１が設けられている。この整合部５１は、導入搬送路４３から送り出された印刷済みの複数枚の内容物用紙Ｐ１を集積して整合するものである。
【００３９】
内容物用紙搬送路４５における整合部５１の出口側（下流側）には、内容物形成部５５が設けられており、この内容物形成部５５は、整合部５１から送り出された整合済みの複数枚の内容物用紙Ｐ１（以下、適宜に内容物用紙Ｐ１という）を折り曲げて内容物Ｂを形成するものである。
【００４０】
封筒用紙搬送路４７の途中には、前折り部５６が設けられており、この前折り部５６は、連絡搬送路３５から送り出された印刷済みの封筒用紙Ｐ２（以下、適宜に封筒用紙Ｐ２という）の前折りを行うものである。
【００４１】
内容物用紙搬送路４５と封筒用紙搬送路４７の合流部には、封筒形成部５９が設けられており、この封筒形成部５９は、前折り部５６から送り出された封筒用紙Ｐ２を折り曲げて封筒Ｅを形成するものである。
【００４２】
内容物用紙搬送路４５の途中における封筒形成部５９の入口側（上流側）には、内容物送出部５７が設けられており、この内容物送出部５７は、内容物形成部５５から送り出された内容物Ｂを、折り曲げ線Ｐ２ｂから折り曲げ中の封筒用紙Ｐ２に封入されるように封筒形成部５９側へ送り出すものである。
【００４３】
また、封筒搬送路４９の途中には、封緘部１１３が設けられており、この封緘部１１３は、封筒形成部５９から送り出された封筒Ｅを封緘するものである。また、封緘部１１３は、封筒Ｅを挟持して押圧する封緘ローラ対１１５を備えており、この封緘ローラ対１１５は、適宜の封緘モータ（図示省略）の駆動により回転可能である。ここで、封筒Ｅは、封緘ローラ対１１５によって挟持して押圧されることにより、封筒用紙Ｐ２に予め塗布した感圧接着剤及び／又は水糊の接着作用によって封緘されるようになっている。
【００４４】
さらに、封筒搬送路４９の下流側には、正常に封緘され、封筒搬送路４９から送り出された封書Ｍを排出する封書排出部１１７が設けられている。
【００４５】
このように、画像形成装置３が、複数枚の内容物用紙Ｐ１及び封筒用紙Ｐ２に印刷を行い、封入封緘装置５は、画像形成装置３から搬送されてくる印刷済みの複数枚の内容物用紙Ｐ１から内容物Ｂを形成すると共に、封筒用紙Ｐ２を折り曲げて封筒Ｅを形成し、内容物Ｂを封入した状態で、封筒用紙Ｐ２に予め塗布した感圧接着剤及び／又は水糊の接着作用によって封筒Ｅを封緘することにより、封書Ｍを作製する。
【００４６】
そのため、例えば、画像形成装置３から搬送される封筒用紙Ｐ２の搬送方向における前後の向きが逆であったりして、封筒用紙Ｐ２に予め塗布された感圧接着剤及び／又は水糊の位置が、適切な位置になければ、適切に封書Ｍを作製することができなくなる。
【００４７】
そこで、本発明の一実施形態である封入封緘システム１では、封入封緘装置５に封筒用紙Ｐ２を搬送する前に、画像形成装置３が、封入封緘設定に基づいて、封筒用紙Ｐ２の貼着位置が適切か否かを判定する。
【００４８】
なお、本発明の一実施形態である封入封緘システム１の画像形成装置３は、用紙としてどのサイズの用紙であっても適用可能である。また、以下の実施の形態では、例えば、インクジェットで印刷するが、他の手法で印刷してもよく、本発明では印刷形式は特に限定されない。また、封緘する印刷物の種類の数（印刷物の枚数）も特に限定されるものではない。
【００４９】
＜画像形成装置３の機能構成＞
次に、本発明の一実施形態である画像形成装置３の機能構成について説明する。
【００５０】
図２は、本発明の一実施形態である画像形成装置３の機能構成を示した図である。
【００５１】
図２に示すように、画像形成装置３は、封筒用紙給紙部２３と、内容物用紙給紙部１５と、レジストローラ１７と、透過量センサ１９と、切り替え機構３７と、ＲＯＭ８０と、操作部６０と、制御部７０とを備えている。これらの構成のうち、封筒用紙給紙部２３と、内容物用紙給紙部１５と、レジストローラ１７と、透過量センサ１９と、切り替え機構３７とについては、上述したので、説明を省略する。
【００５２】
操作部６０は、表示／入力パネル（図示しない）と、読み取りや印刷等を開始させるためのスタートキー、読み取りや印刷等を停止させるためのストップキー、印刷枚数等を入力するためのテンキー（いずれも図示せず）等の各種操作キーとを備え、利用者操作に基づく操作信号を制御部７０に供給する。
【００５３】
操作部６０の表示／入力パネルは、前面に配置された感圧式あるいは静電式の透明なタッチパネルと、このタッチパネルの裏面に配置され、エラーメッセージを表示するエラー表示画面等を表示する液晶表示パネル（いずれも図示せず）とを有している。利用者は、液晶表示パネルの表示画面を見ながら、タッチパネルの表面を指などで直接触れることで、各種ボタンの押下操作を行うことができる。
【００５４】
ＲＯＭ８０は、不揮発性半導体等で構成され、制御部７０が実行する各種制御プログラム等を記憶している。また、ＲＯＭ８０は、記憶領域として、貼着位置記憶部８３を有している。
【００５５】
貼着位置記憶部８３は、ユーザからの封入封緘設定に基づき封筒用紙Ｐ２が前後正しい向きで搬送された場合における、封筒用紙Ｐ２を搬送方向に複数に分割した領域毎の厚みを正常紙厚として記憶する。なお、貼着位置記憶部８３は、ユーザからの封入封緘設定に基づき封筒用紙Ｐ２が前後正しい向きで搬送された場合における、封筒用紙Ｐ２の貼着部の貼着位置を記憶するようにしてもよい。
【００５６】
制御部７０は、画像形成装置３の中枢的な制御を行う。また、制御部７０は、その機能上、貼着位置算出部７１と、判定部７２と、機器制御部７３とを備える。
【００５７】
貼着位置算出部７１は、透過量センサ１９により検出された透過量に基づいて封筒用紙Ｐ２における貼着部が存在する貼着位置を算出する。具体的には、貼着位置算出部７１は、透過量センサ１９により検出された透過量に基づいて、封筒用紙Ｐ２を搬送方向に複数に分割した領域毎に、封筒用紙Ｐ２の厚みを検出紙厚として算出することにより封筒用紙Ｐ２における貼着部が存在する貼着位置を算出する。
【００５８】
判定部７２は、貼着位置算出部７１により算出された貼着位置と、封入封緘ジョブに係る封入封緘設定に基づく貼着位置とから、封筒用紙Ｐ２が前後正しい向きで搬送されたか否かを判定する。例えば、判定部７２は、貼着位置記憶部８３により記憶された正常紙厚と、貼着位置算出部７１により算出された検出紙厚とに基づいて、封筒用紙Ｐ２が前後正しい向きで搬送されたか否かを判定する。
【００５９】
機器制御部７３は、封筒用紙給紙部２３、内容物用紙給紙部１５、レジストローラ１７、透過量センサ１９、切り替え機構３７、ＲＯＭ８０、操作部６０などの各機器の制御を行う。
【００６０】
＜封入封緘システムの作用＞
次に、本発明の一実施形態である封入封緘システム１における作用について説明する。
【００６１】
図３は、本発明の一実施形態である封入封緘システム１の画像形成装置３における処理手順を示したフローチャートである。
【００６２】
図３に示すように、画像形成装置３の制御部７０は、封筒用紙給紙部２３から封筒用紙Ｐ２が給紙されたか否か判定する（ステップＳ１０１）。
【００６３】
ステップＳ１０１において、封筒用紙給紙部２３から封筒用紙Ｐ２が給紙されたと判定された場合（ＹＥＳの場合）、制御部７０は、正常紙厚を読み出す（ステップＳ１０３）。具体的には、制御部７０は、封入封緘ジョブに基づいて、貼着位置記憶部８３から、給紙された封筒用紙Ｐ２のサイズに対応する正常紙厚を読み出す。
【００６４】
次に、制御部７０の貼着位置算出部７１は、透過量センサ１９により、検出された透過量をブロック単位で積算し、検出紙厚を算出する（ステップＳ１０５）。例えば、封筒用紙Ｐ２のサイズの封筒用紙は、搬送方向に８つの領域に分割されているとすると、この分割された領域毎に、透過量センサ１９により検出された透過量を積算する。そして、貼着位置算出部７１は、積算した透過量に基づいて、封筒用紙Ｐ２の厚みを検出紙厚として算出する。
【００６５】
図４は、本発明の一実施形態である封入封緘システム１における正常紙厚と検出紙厚との一例を示した図である。（ａ）は、前後正しい向きで搬送された封筒用紙の領域分割を示しており、（ｂ）は、（ａ）の場合における正常紙厚の厚みを示しており、（ｃ）は、前後逆向きで搬送された封筒用紙Ｐ２の領域分割を示しており、（ｄ）は、（ｃ）の場合における検出紙厚の厚みを示している。
【００６６】
図４（ａ）に示すように、封筒用紙Ｐ２のサイズの封筒用紙は、搬送方向に分割領域２０１〜分割領域２０８の８つに分割されている。
【００６７】
このサイズの封筒用紙Ｐ２では、封入封緘装置５により正常に封入封緘できるように、貼着位置２１０が、分割領域２０７に入るように設けられている。
【００６８】
そのため、図４（ｂ）に示すような、分割領域２０７に対応する位置に厚み２２０があるような正常紙厚が貼着位置記憶部８３に記憶されている。
【００６９】
一方、図４（ｃ）に示すように、前後逆向きで搬送された封筒用紙Ｐ２は、搬送方向に分割領域２０１〜分割領域２０８の８つに分割されており、貼着位置３１０は、分割領域２０２に位置する。
【００７０】
そのため、図４（ｄ）に示すように、貼着位置算出部７１は、分割領域２０１〜分割領域２０８毎に、透過量センサ１９により検出された透過量を積算し、この積算された積算値に基づいて、封筒用紙Ｐ２の厚みを検出紙厚として算出する。ここでは、貼着位置３１０が、分割領域２０２に位置するので、分割領域２０２に対応する位置に厚み３２０があるような検出紙厚を算出する。
【００７１】
このように、粘着部の検出紙厚とそれ以外の部分の紙厚とは異なるので、貼着位置算出部７１は、検出紙厚を算出することにより、この検出紙厚の違いにより封筒用紙Ｐ２における貼着部が存在する貼着位置を算出することができる。
【００７２】
図３に戻り、制御部７０の判定部７２は、正しい領域にピークがあるか否かを判定する（ステップＳ１０７）。具体的には、判定部７２は、領域毎に、貼着位置算出部７１により算出された検出紙厚と、貼着位置記憶部８３により記憶された正常紙厚とを比較し、同一の領域に同じ厚みが検出された場合、正しい領域にピークがあると判定する。また、例えば、判定部７２は、貼着位置算出部７１により算出された検出紙厚より貼着位置記憶部８３により記憶された正常紙厚が厚い場合、正しい領域にピークがないと判定する。
【００７３】
ステップＳ１０７において、正しい領域にピークがあると判定された場合（ＹＥＳの場合）、機器制御部７３は、通常印刷処理を実行する（ステップＳ１０９）。具体的には、機器制御部７３は、封筒用紙Ｐ２に対して、印刷部９に印刷させ、内容物用紙Ｐ１及び封筒用紙Ｐ２を隣接する封入封緘装置５へ受け渡す。
【００７４】
一方、ステップＳ１０７において、正しい領域にピークがないと判定された場合（ＹＥＳの場合）、機器制御部７３は、印刷処理を停止する（ステップＳ１１１）。具体的には、機器制御部７３は、封筒用紙Ｐ２の印刷を停止させ、内容物用紙Ｐ１及び封筒用紙Ｐ２を排紙台３４に排紙する。
【００７５】
次に、判定部７２は、対称領域にピークがあるか否かを判定する（ステップＳ１１３）。具体的には、判定部７２は、正常紙厚が厚い領域に対し搬送方向に対称となる領域において、貼着位置記憶部８３に記憶された正常紙厚より貼着位置算出部７１により算出された検出紙厚が厚い場合、対称領域にピークがあると判定する。
【００７６】
例えば、図４（ｂ），（ｄ）に示した例では、正常紙厚が厚い領域２０７に対し搬送方向に対称となるのは、領域２０２である。そして、この領域２０２において、貼着位置記憶部８３に記憶された正常紙厚より貼着位置算出部７１により算出された検出紙厚３２０が厚いので、対称領域にピークがあると判定する。
【００７７】
図３に戻り、ステップＳ１１３において、対称領域にピークがあると判定された場合（ＹＥＳの場合）、機器制御部７３は、前後方向が逆である旨のメッセージを表示させる（ステップＳ１１５）。例えば、機器制御部７３は、操作部６０の表示／入力パネルに、「封筒用紙の位置が異常です。逆向きにセットしてください。」というようなエラーメッセージを表示させる。
【００７８】
一方、ステップＳ１１３において、対称領域にピークがないと判定された場合（ＮＯの場合）、機器制御部７３は、封筒用紙ではない旨のメッセージを表示させる（ステップＳ１１７）。例えば、機器制御部７３は、操作部６０の表示／入力パネルに、「封筒用紙をセットしてください。」というようなエラーメッセージを表示させる。
【００７９】
以上のように、本発明の一実施形態である画像形成システム１によれば、貼着位置記憶部８３により記憶された正常紙厚と、貼着位置算出部７１により算出された検出紙厚とに基づいて、封筒用紙Ｐ２が前後正しい向きで搬送されたか否かを判定するので、封筒用紙Ｐ２の貼着位置が適切か否かを判定することができる。
【００８０】
これにより、例えば、ユーザが、封筒用紙給紙部２３に前後逆向きに封筒用紙Ｐ２をセットした場合、メッセージを表示させるので、無駄に封筒用紙Ｐ２を印刷することを防止することができる。
【００８１】
なお、貼着位置記憶部８３に封筒用紙Ｐ２の貼着部の貼着位置が記憶されている場合、貼着位置算出部７１が、透過量センサ１９により検出された透過量に基づいて封筒用紙Ｐ２における貼着部が存在する貼着位置を算出し、貼着位置記憶部８３に記憶された貼着位置と、貼着位置算出部７１により算出された貼着位置とを比較することにより、封筒用紙Ｐ２が前後正しい向きで搬送されたか否かを判定するようにしてもよい。
【００８２】
また、上述したように、本発明の一実施形態である封入封緘システム１の画像形成装置３は、内容物用紙Ｐ１及び封筒用紙Ｐ２の表面を印刷部９で印刷した後、スイッチバック搬送路３３により表裏反転させて、裏面を印刷部９で印刷することで両面印刷を行うことができる。具体的には、画像形成装置３は、係る封入封緘設定に基づき、封筒用紙Ｐ２に対し両面印刷が実施される場合には、封筒用紙Ｐ２の一方の面に印刷を実行した後に表裏反転し、他方の面に印刷を実行する。そのため、給紙台に載置される際、封筒用紙Ｐ２に設けられた貼着部の位置（貼着位置）は、片面印刷を実施する場合に対して対称の位置になるように載置される必要がある。
【００８３】
そのため、封入封緘設定において両面印刷が要求されている場合、印刷部９が表面を印刷する前に、封筒用紙Ｐ２が前後正しい向きで搬送されたか否かを判定することが好ましい。
【００８４】
図５は、本発明の一実施形態である封入封緘システム１において両面印刷を行う場合における正常紙厚と検出紙厚との一例を示した図である。（ａ）は、前後正しい向きで搬送された封筒用紙の領域分割を示しており、（ｂ）は、（ａ）の場合における正常紙厚の厚みを示しており、（ｃ）は、前後逆向きで搬送された封筒用紙の領域分割を示しており、（ｄ）は、（ｃ）の場合における検出紙厚の厚みを示している。
【００８５】
図５（ａ）に示すように、封筒用紙Ｐ２のサイズの封筒用紙は、搬送方向に分割領域２０１〜分割領域２０８の８つに分割されている。
【００８６】
このサイズの封筒用紙Ｐ２では、封入封緘装置５により正常に封入封緘できるように、貼着位置２３０が、分割領域２０２と分割領域２０３とに入るように設けられている。両面印刷では、封筒用紙Ｐ２の裏面を印刷した後、封入封緘装置５へ受け渡すので、表裏反転前の封筒用紙Ｐの前後向きが正常か否かを判定する必要がある。
【００８７】
そのため、図５（ｂ）に示すような、分割領域２０２，２０３に対応する位置に厚み２３０があるような両面印刷用の正常紙厚が貼着位置記憶部８３に記憶されている。
【００８８】
そして、図５（ｃ）に示すように、封筒用紙Ｐ２が、前後逆向きで搬送されると、貼着位置３３０は、分割領域２０６，２０７に位置する。
【００８９】
そのため、図５（ｄ）に示すように、貼着位置算出部７１は、分割領域２０１〜分割領域２０８毎に、透過量センサ１９により検出された透過量を積算し、この積算された積算値に基づいて、封筒用紙Ｐ２の厚みを検出紙厚として算出する。ここでは、貼着位置３３０が、分割領域２０６，２０７に位置するので、分割領域２０６，２０７に対応する位置に厚み３４０，３４１があるような検出紙厚を算出する。
【００９０】
これにより、画像形成装置３は、封入封緘設定にて両面印刷が要求された場合においても、封筒用紙Ｐ２が前後正しい向きで搬送されたか否かを判定することができる。
【００９１】
なお、本発明の一実施形態である封入封緘システム１に備える画像形成装置３は、ライン単位で印刷を行うインクジェット方式のラインカラープリンタを例に挙げて説明したが、これに限らず、シリアルインクジェット方式、レーザ方式、又は孔版印刷方式等の印刷装置であってもよい。
【符号の説明】
【００９２】
１…封入封緘システム
３…画像形成装置
５…封入封緘装置
９…印刷部
１３…印刷搬送路
１５…内容物用紙給紙部
１７…レジストローラ
１９…透過量センサ
２１…給紙搬送路
２３…封筒用紙給紙部
２９…給紙搬送路
３１…カセット
３３…スイッチバック搬送路
３４…排紙台
３５…連絡搬送路
３７…切り替え機構
４３…導入搬送路
４５…内容物用紙搬送路
４７…封筒用紙搬送路
４９…封筒搬送路
５１…整合部
５５…内容物形成部
５６…前折り部
５７…内容物送出部
５９…封筒形成部
６０…操作部
７０…制御部
７１…算出部
７２…判定部
７３…機器制御部
８０…ＲＯＭ
８３…貼着位置記憶部
【図１】
0005960446.tif 000002
【図２】
0005960446.tif 000003
【図３】
0005960446.tif 000004
【図４】
0005960446.tif 000005
【図５】
0005960446.tif 000006